(57)【要約】【課題】ユーザがより目を覚まし易くすることが可能なカメラ付き携帯電話装置を提供する。【解決手段】制御回路は、所定の時刻となったと判定すると（Ｓ１０ステップ）、メロディーを出力し（Ｓ１１ステップ）、フラッシュをオンする設定であると判定し（Ｓ１２ステップ）、連続発光であると判定すると、発光部を連続発光するように制御し（Ｓ１３、Ｓ１４ステップ）、そうでなければ、発光部を所定時間毎に発光するように制御する（Ｓ１５ステップ）。【選択図】　　　　図３
2004032416.tif 000002
【特許請求の範囲】
【請求項１】
撮影時に被写体に光を照射する為の発光手段と、目覚ましの設定を行う為の設定手段と、該設定手段で設定された時刻になると上記発光手段から光を発光するように制御する制御手段と、を有することを特徴とするカメラ付き携帯電話装置。
【請求項２】
請求項１記載のカメラ付き携帯電話装置であり、上記設定手段により、上記発光手段からの発光を連続的に発光するか、又は所定時間毎に発光するかを設定可能であることを特徴とするカメラ付き携帯電話装置。
【発明の詳細な説明】
【０００１】
【発明の属する技術分野】
本発明は、カメラ付き携帯電話装置に関する。
【０００２】
【従来の技術】
近年では、携帯電話装置に様々な機能が搭載されている。例えば、メールを作成して送信可能なメール機能、好きなメロディーを着信音にすることが可能な着信メロディー機能、指定した時間に好みのメロディーを流すことが可能な目覚まし機能、等が搭載されている。
【０００３】
又、近年では、カメラを搭載した携帯電話装置が提案されており（例えば、特開平１０−６５７８０号公報参照）、更に、実際にカメラを搭載した携帯電話装置が製品化されている。
【０００４】
ユーザは、このような携帯電話装置を用いて風景や人物などを写し、例えば電子メール等に写した画像データを添付することにより、相手側に画像データを送信することが可能である。
【０００５】
【発明が解決しようとする課題】
上述した目覚まし機能では、設定した所定の時刻となるとスピーカから音を出力し、音によりユーザが目を覚ますようになっている。しかし、ユーザは、深い眠りに入っている場合にはなかなか目を覚ますことができない場合があり、又、ユーザは、日ごろから周囲のうるさい場所に住んでおり、騒音になれている場合には、目覚ましのメロディーでは容易に目を覚ますことができない。
【０００６】
【課題を解決するための手段】
本発明はこのような課題を解決する為のものであり、請求項１記載のカメラ付き携帯電話装置は、撮影時に被写体に光を照射する為の発光手段と、目覚ましの設定を行う為の設定手段と、該設定手段で設定された時刻になると上記発光手段から光を発光するように制御する制御手段と、を有することを特徴とする。
【０００７】
請求項２記載のカメラ付き携帯電話装置は、請求項１記載のカメラ付き携帯電話装置であり、上記設定手段により、上記発光手段からの発光を連続的に発光するか、又は所定時間毎に発光するかを設定可能であることを特徴とする。
【０００８】
【発明の実施の形態】
本発明を適用してなる実施例装置は、目覚ましのメロディーを出力するだけでなく、フラッシュをオンすることによりユーザがより目を覚ましやすくすることを可能にする。
【０００９】
図１は、本発明を適用してなる実施例装置であるカメラ付き携帯電話装置のブロック図である。
【００１０】
図１において、通信部１は、後述するベースバンド部３からの信号をアンテナ２を介して基地局へ発信したり、アンテナ２を介して基地局からの電波を受信したりする。
【００１１】
ベースバンド部３は、ＣＤＭＡ（Ｃｏｄｅ　Ｄｉｖｉｓｉｏｎ　Ｍｕｉｔｉｐｌｅ　Ａｃｃｅｓｓ）処理回路３１と、音声コーデック処理回路３２とを有する。上記ＣＤＭＡ処理回路３１は、符号分割多元接続、スクランブル、誤り制御、タイミング検出等を行う。上記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１２】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１３】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１４】
マイクロプロセッサからなる制御回路１１は、例えばＲＯＭ（Ｒｅａｄ　Ｏｎｌｙ　Ｍｅｍｏｒｙ）からなる第１格納部１２に格納されたシステムプログラムに基づいて、各部を制御する。又、制御回路１１は、時刻を計時する機能も備えている。
【００１５】
第２格納部１３は、例えばＳＲＡＭ（Ｓｔａｔｉｃ　Ｒａｎｄｕｍ　Ａｃｃｅｓｓ　Ｍｅｍｏｒｙ）からなり、メロディーを出力する時刻の情報や、メロディー出力時に発光部１８をオンするか否かを示す情報を格納する。
【００１６】
表示部１４は、電話番号や相手先の氏名等を表示する。
【００１７】
入力部１５は、通話キー、切キー、テンキー、電源キー等からなる。
【００１８】
画処理部１６は、ＣＣＤ（Ｃｈａｒｇｅ　Ｃｏｕｐｌｅｄ　Ｄｅｖｉｃｅｓ）１７から入力した画情報を制御回路１１に出力すると共に、例えば、ＲＧＢからなる３色のＬＥＤによって構成されたフラッシュ１８に発光するように指示する信号を出力する。
【００１９】
図２は、目覚ましを設定する際の動作を示すフロー図である。
【００２０】
Ｓ１ステップでは、制御回路１１は、入力部１５からの時刻設定指示に応じて、設定された時刻を第２格納部に格納する。
【００２１】
続くＳ２ステップでは、制御回路１１は、入力部１５からのメロディー選択指示に応じて、設定されたメロディーの情報を上記Ｓ１ステップにて設定された時刻と共に第２格納部１３へ格納する。尚、上記Ｓ２ステップで選択されるメロディーは、所定時間毎に鳴動されるビープ音であっても良い。
【００２２】
続くＳ３ステップでは、制御回路１１は、入力部１５から発光部１８をオンするよう指示があると判定すると、Ｓ４ステップへ処理を進め、そうでなければ、目覚まし設定の処理を終了する。
【００２３】
Ｓ４ステップでは、制御回路１１は、入力部１５から発光部１８を連続的にオンするよう指示があると判定すると、Ｓ５ステップへ処理を進め、そうでなければ、Ｓ６ステップへ処理を進める。尚、ここで発光部１８を連続的にオンするとあるが、発光部１８がＬＥＤである為に、光が点灯し続けた状態とすることも可能であるし、通常カメラの連続撮影のフラッシュのように、発光部１８を一瞬オンし、直ちに一瞬オンするように、連続的に発光部１８をオンすることもできる。
【００２４】
Ｓ５ステップでは、制御回路１１は、上記Ｓ１ステップで設定された時刻の情報と上記Ｓ２ステップで設定されたメロディーの情報と共に、発光部１８を連続的にオンすることを示す情報を、上記第２格納部１３に格納する。
【００２５】
Ｓ６ステップでは、制御回路１１は、上記Ｓ１ステップで設定された時刻の情報と上記Ｓ２ステップで設定されたメロディーの情報と共に、所定時間間隔で発光部１８をオンすることを示す情報を、第２格納部１３に格納する。
【００２６】
尚、ここでいう所定時間間隔で発光部１８をオンするとは、例えば、発光部１８を一瞬オンし、２秒後に発光部１８を一瞬オンすることを繰り返すことであり、発光部１８オンから発光部１８オンまでの間隔はユーザが自由に設定することができる。
【００２７】
図３は、図２において設定された目覚まし機能を実際に使用する際のフロー図である。
【００２８】
図３のＳ１０ステップで、制御回路１１は、第２格納部１３に格納されている時刻を計時したと判定すると、Ｓ１１ステップへ処理を進める。
【００２９】
Ｓ１１ステップでは、制御回路１１は、上記第２格納部１３に格納されているメロディー情報に基づいて、スピーカ８からメロディーを出力する。
【００３０】
続くＳ１２ステップでは、制御回路１１は、第２格納部１３に発光部１８をオンすることを示す情報が格納されていると判定すると、Ｓ１３ステップへ処理を進め、そうでなければ、処理を終了する。
【００３１】
Ｓ１３ステップでは、制御回路１１は、第２格納部１３に発光部１８を連続的にオンすることを示す情報が格納されていると判定すると、Ｓ１４ステップへ処理を進め、そうでなければＳ１５ステップへ処理を進める。
【００３２】
Ｓ１４ステップでは、制御回路１１は、発光部１８を連続的にオンするように制御し、処理を終了する。
【００３３】
Ｓ１５ステップでは、制御回路１１は、発光部１８を所定時間毎にオンするように制御し、処理を終了する。
【００３４】
以上説明したように、本実施例装置では、所定の時刻となるとメロディーが流れると共に発光部１８をオンとする為、ユーザが音だけではなかなか起きられない場合でも起こすことが可能である。このような効果は、ユーザが目を閉じた状態であっても、周囲が明るくなると自然と目を覚ます傾向があることを巧みに利用した結果得られるものである。
【００３５】
又、ユーザがメロディーを聞いて起きようとしている際に、発光部１８がオンとなる為、ユーザが完全に目をさますようにすることができる。
【００３６】
更に、本実施例では、カメラのフラッシュをユーザが目を覚ます為の手段として兼用する為、ユーザが目を覚ます為の特別な装置を別途設ける必要がない。
【００３７】
その上、本実施例では、発光部を３色のＬＥＤで構成した為、発光部１８を連続的にオンしたり、所定間隔毎にオンすることが可能であり、ユーザが起きやすい発光のタイミングをユーザ自身で設定することができる。
【００３８】
【発明の効果】
本発明は、ユーザがより目を覚まし易くすることを可能にする。
【図面の簡単な説明】
【図１】本発明を適用してなる実施例装置のブロック図である。
【図２】本実施例装置のフロー図である。
【図３】本実施例装置のフロー図である。
【符号の説明】
８　スピーカ
１１　制御回路
１３　第２格納部
１５　入力部
１７　ＣＣＤ
１８　発光部
【図１】
2004032416.tif 000003
【図２】
2004032416.tif 000004
【図３】
2004032416.tif 000005